(57)【特許請求の範囲】
【請求項１】
屋根構体と、互いに向かい合う側構体と、床構体とが相互に接合されている車体フレームの製造方法において、
内面板と、該内面板に対向している外面板と、該内面板と該外面板との間に配されて相互を接続する複数のリブとを有する複数のパネル構造体の該内面板と該外面板とのうち、一方の面板相互を突き合わせて接合し、他方の面板相互が接合されていない、前記側構体の中間体を製造する一次接合工程と、
前記屋根構体と前記床構体と前記中間体とを相互に接合する構体接合工程と、
前記構体接合工程の後に、前記中間体を構成する複数の前記パネル構造体の前記他方の面板相互を接合して、前記側構体を完成させる二次接合工程と、
前記構体接合工程の後であって前記二次接合工程前に、又は該二次接合工程中に、複数の前記パネル構造体相互間の歪みを取り除く歪み取り工程と、
を実行することを特徴とする車体フレームの製造方法。
【請求項２】
請求項１に記載の車体フレームの製造方法において、
前記二次接合工程では、複数の前記パネル構造体の前記他方の面板相互を、摩擦攪拌接合法を除く溶接法で接合する際、溶接部分に対する入熱量を調節して、該二次接合工程中に、複数の前記パネル構造体相互の歪みを取り除く前記歪み取り工程を実行する、
ことを特徴とする車体フレームの製造方法。
【請求項３】
請求項１又は２に記載の車体フレームの製造方法において、
前記一方の面板は、前記外面板であり、
前記一次接合工程では、複数の前記パネル構造体の前記外面板相互を接合する、
ことを特徴とする車体フレームの製造方法。
【請求項４】
請求項３に記載の車体フレームの製造方法において、
前記一次接合工程では、複数の前記パネル構造体の前記外面板相互を摩擦攪拌接合法で接合する、
ことを特徴とする車体フレームの製造方法。
【請求項５】
請求項１から４のいずれか一項に記載の車体フレームの製造方法において、
前記二次接合工程では、複数の前記パネル構造体の前記他方の面板相互を、摩擦攪拌接合法を除く溶接法で接合する、
ことを特徴とする車体フレームの製造方法。
【請求項６】
請求項１から５のいずれか一項に記載の車体フレームの製造方法において、
前記パネル構造体の前記複数のリブは、前記一方の面板と平行な第一方向に長く延び、且つ該一方の面板と平行で且つ該第一方向に垂直な第二方向に並び、
前記一次接合工程では、前記複数のパネル構造体それぞれのリブが互いに平行で、且つ複数の該パネル構造体が前記第二方向に並んだ状態で、各パネル構造体の前記一方の面板相互を突き合わせて接合する、
ことを特徴とする車体フレームの製造方法。
【請求項７】
請求項６に記載の車体フレームの製造方法において、
前記構体接合工程では、前記中間体を構成する複数の前記パネル構造体が並んでいる方向を上下方向とし、複数の該パネル構造体のうち上端のパネル構造体の上縁を前記屋根構体に接合し、下端のパネル構造体の下縁を前記床構体に接合し、
前記二次接合工程では、複数の前記パネル構造体が並んでいる前記上下方向で、最も中央側のパネル構造体の前記他方の面板と、該中央側のパネル構造体に隣接する他のパネル構造体の前記他方の面板との接合を、最後に接合する、
ことを特徴とする車体フレームの製造方法。
【請求項８】
屋根構体と、互いに向かい合う側構体と、床構体とが相互に接合されている車体フレームの製造方法において、
内面板と、該内面板に対向している外面板と、該内面板と該外面板との間に配されて相互を接続する複数のリブとを有する複数のパネル構造体の該内面板と該外面板とのうち、一方の面板相互を突き合わせて接合し、他方の面板相互が接合されていない、前記側構体の中間体を製造する一次接合工程と、
前記屋根構体と前記床構体と前記中間体とを相互に接合する構体接合工程と、
前記構体接合工程の後に、前記中間体を構成する複数の前記パネル構造体の前記他方の面板相互を接合して、前記側構体を完成させる二次接合工程と、
を実行し、
前記パネル構造体の前記複数のリブは、前記一方の面板と平行な第一方向に長く延び、且つ該一方の面板と平行で且つ該第一方向に垂直な第二方向に並び、
前記一次接合工程では、前記複数のパネル構造体それぞれのリブが互いに平行で、且つ複数の該パネル構造体が前記第二方向に並んだ状態で、各パネル構造体の前記一方の面板相互を突き合わせて接合し、
前記構体接合工程では、前記中間体を構成する複数の前記パネル構造体が並んでいる方向を上下方向とし、複数の該パネル構造体のうち上端のパネル構造体の上縁を前記屋根構体に接合し、下端のパネル構造体の下縁を前記床構体に接合し、
前記二次接合工程では、複数の前記パネル構造体が並んでいる前記上下方向で、最も中央側のパネル構造体の前記他方の面板と、該中央側のパネル構造体に隣接する他のパネル構造体の前記他方の面板との接合を、最後に接合する、
ことを特徴とする車体フレームの製造方法。
【請求項９】
請求項６から８のいずれか一項に記載の車体フレームの製造方法において、
前記パネル構造体の前記他方の面板の前記第二方向における長さ寸法は、該パネル構造体の前記一方の面板の該第二方向における長さ寸法よりも短く、
前記二次接合工程では、前記中間体を構成する複数の前記パネル構造体の前記他方の面板相互間に存在する間隙に、該隙間を埋める継ぎ手板を配置し、該継ぎ手板と該パネル構造体の該他方の面板とを接合する、
ことを特徴とする車体フレームの製造方法。
【請求項１０】
請求項９に記載の車体フレームの製造方法において、
前記パネル構造体は、前記第二方向の両側に、前記継ぎ手板が前記他方の面板から前記一方の面板へ近づく向きへの移動を規制する継ぎ手板受け部を有し、
前記パネル構造体の前記第二方向の一方側の前記継ぎ手板受け部と、他方側の継ぎ手板受け部とのうち、該一方側の前記継ぎ手板受け部にのみ、前記継ぎ手板が係合して、該第二方向への該継ぎ手板の移動を規制する係合部が形成され、該継ぎ手板には、該係合部に係合する被係合部が形成されている、
ことを特徴とする車体フレームの製造方法。
【請求項１１】
請求項９又は１０に記載の車体フレームの製造方法において、
前記一次接合工程では、前記複数のパネル構造体の前記一方の面板相互を突き合わせ、突き合わせ部分を接合する際、該パネル構造体の前記他方の面板側から回転ツールを突き合わせ部分に押し付けて、該突き合わせ部分を摩擦攪拌接合法で接合する、
ことを特徴とする車体フレームの製造方法。
【発明の詳細な説明】
【技術分野】
【０００１】
本発明は、屋根構体と、互いに向かい合う側構体と、床構体とが相互に接合されている車体フレームの製造方法に関する。
【背景技術】
【０００２】
軌道車両の車体フレームは、一般的に、屋根構体と、互いに向かい合う側構体と、床構体とを相互に接合して製造される。
【０００３】
このような車体フレームの製造方法に関しては、例えば、以下の特許文献１に記載されている。この特許文献１に記載の技術では、ダブルスキンと呼ばれる複数のパネル構造体で側構体等の構体を形成している。このパネル構造体は、互いに対向している内面板及び外面板と、内面板と外面板とを接続する複数のリブとを有している。この特許文献１に記載の技術では、複数のパネル構造体の外面板相互を摩擦攪拌接合により接合し、複数のパネル構造体の内面板相互を溶接等により接合して、側構体を形成している。そして、以上のように形成された側構体と、屋根構体と、床構体とを相互に接合して、車体フレームを製造している。
【先行技術文献】
【特許文献】
【０００４】
【特許文献１】特開２００２−２８４００１号公報
【発明の概要】
【発明が解決しようとする課題】
【０００５】
上記特許文献１に記載の技術では、複数のパネル構造体の内面板相互及び外面板相互を接合する過程で、接合熱の影響等でパネル構造体相互間での歪が生じてしまい、一のパネル構造体に対して、この一のパネル構造体に隣接する他のパネル構造体が目的の角度で接合されないことがある。この場合、この一のパネル構造体と他のパネル構造体との間の歪みを取る必要がある。
【０００６】
ところで、一のパネル構造体と他のパネル構造体とは、内面板相互及び外面板相互で接合されているため、一のパネル構造体と他のパネル構造体との接続剛性が高い。このため、特許文献１に記載の技術では、パネル構造体の相互間における歪みを取るために多大な労力がかかり、車体フレームの製造工数がかさむという問題点がある。
【０００７】
そこで、本発明は、このような従来の問題点に着目し、車体フレームの製作工数を低減することができる車体フレームの製造方法を提供することを目的とする。
【課題を解決するための手段】
【０００８】
前記問題点を解決するための発明に係る車体フレームの製造方法は、
屋根構体と、互いに向かい合う側構体と、床構体とが相互に接合されている車体フレームの製造方法において、
内面板と、該内面板に対向している外面板と、該内面板と該外面板との間に配されて相互を接続する複数のリブとを有する複数のパネル構造体の該内面板と該外面板とのうち、一方の面板相互を突き合わせて接合し、他方の面板相互が接合されていない、前記側構体の中間体を製造する一次接合工程と、前記屋根構体と前記床構体と前記中間体とを相互に接合する構体接合工程と、前記構体接合工程の後に、前記中間体を構成する複数の前記パネル構造体の前記他方の面板相互を接合して、前記側構体を完成させる二次接合工程と、を実行することを特徴とする。この場合、複数の前記パネル構造体相互間の歪みを取り除く必要がある場合には、前記構体接合工程の後であって前記二次接合工程前に、又は該二次接合工程中に、複数の前記パネル構造体相互間の歪みを取り除く歪み取り工程と、を実行する。
【０００９】
当該製造方法では、複数のパネル構造体の一方の面板相互が接合され、他方の面板相互が接合されておらず、パネル構造体相互間の接続剛性が低い状態で、パネル構造体相互間の歪み取りを行うので、極めて簡単にパネル構造体相互間の歪みを取ることができる。
【００１０】
ここで、前記車体フレームの製造方法において、
前記二次接合工程では、溶接部分に対する入熱量を調節して、該二次接合工程中に、複数の前記パネル構造体相互の歪みを取り除く前記歪み取り工程を実行してもよい。
【００１１】
当該製造方法では、二次接合と歪み取りとを同時に行うことになるので、車体フレームの製造工程の簡略化を図ることができる。
【００１２】
また、前記車体フレームの製造方法において、
前記一方の面板は、前記外面板であり、前記一次接合工程では、複数の前記パネル構造体の前記外面板相互を接合してもよい。この場合、前記一次接合工程では、複数の前記パネル構造体の前記外面板相互を摩擦攪拌接合法で接合してもよい。
【００１３】
当該製造方法では、外面板相互の接合部分の外観をきれいにすることができる。
【００１４】
また、前記車体フレームの製造方法において、
前記二次接合工程では、複数の前記パネル構造体の前記他方の面板相互を、前記摩擦攪拌接合法を除く溶接法、具体的には、ＭＩＧ（Metal Inert Gas）溶接やＴＩＧ（Tungsten Inert Gas）溶接等の融接で接合してもよい。
【００１５】
当該製造方法では、二次接合工程で、接合部分を支持するために治具を用いずに、接合することができる。
【００１６】
また、前記車体フレームの製造方法において、
前記パネル構造体の前記複数のリブは、前記一方の面板と平行な第一方向に長く延び、且つ該一方の面板と平行で且つ該第一方向に垂直な第二方向に並び、前記一次接合工程では、前記複数のパネル構造体それぞれのリブが互いに平行で、且つ複数の該パネル構造体が第二方向に並んだ状態で、各パネル構造体の前記一方の面板相互を突き合わせて接合してもよい。
【００１７】
この場合、前記構体接合工程では、前記中間体を構成する複数の前記パネル構造体が並んでいる方向を上下方向とし、複数の該パネル構造体のうち上端のパネル構造体の上縁を前記屋根構体に接合し、下端のパネル構造体の下縁を前記床構体に接合し、前記二次接合工程では、複数の前記パネル構造体が並んでいる前記上下方向で、最も中央側のパネル構造体の前記他方の面板と、該中央側のパネル構造体に隣接する他のパネル構造体の前記他方の面板との接合を、最後に接合してもよい。
【００１８】
仮に、歪み取り及び二次接合を、上端側のパネル構造体に関して最初に行い、順次、下方側のパネル構造体に関して行い、最後に、下端のパネル構造体に関して行ったとする。
このような順序で、歪み取り及び二次接合を行うと、複数のパネル構造体の相互関係において、上側パネル構造体に対して隣接する下側パネル構造体がいずれも右側に傾いていると、二次接合を行う毎に、上側パネル構造体に対する下側パネル構造体の下端の右側へのズレ量が蓄積され、最も下端のパネル構造体とその上のパネル構造体を二次接合する際には、パネル構造体の下端の右側へのズレ量が極めて大きくなってしまう。このため、隣り合うパネル構造体相互間の歪み取りを行う毎に、この隣り合うパネル構造体相互間の二次接合を行う場合には、当該製造方法のように、上下方向における最も中央側のパネル構造体とそれに隣接するパネル構造体との間の二次接合を最後に行うことで、ズレ量の蓄積を少なくすることが好ましい。
【００１９】
また、前記車体フレームの製造方法において、
前記パネル構造体の前記他方の面板の前記第二方向における長さ寸法は、該パネル構造体の前記一方の面板の該第二方向における長さ寸法よりも短く、前記二次接合工程では、前記中間体を構成する複数の前記パネル構造体の前記他方の面板相互間に存在する間隙に、該隙間を埋める継ぎ手板を配置し、該継ぎ手板と該パネル構造体の該他方の面板とを接合してもよい。
【００２０】
この場合、前記パネル構造体は、前記第二方向の両側に、前記継ぎ手板が前記他方の面板から前記一方の面板へ近づく向きへの移動を規制する継ぎ手板受け部を有し、前記パネル構造体の前記第二方向の一方側の前記継ぎ手板受け部と、他方側の継ぎ手板受け部とのうち、該一方側の前記継ぎ手板受け部にのみ、前記継ぎ手板が係合して、該第二方向への該継ぎ手板の移動を規制する係合部が形成され、該継ぎ手板には、該係合部に係合する被係合部が形成されていてもよい。
【００２１】
また、継ぎ手板を介して、他方の面板相互を接合する場合、前記一次接合工程では、前記複数のパネル構造体の前記一方の面板相互を突き合わせ、突き合わせ部分を接合する際、該パネル構造体の前記他方の面板側から回転ツールを突き合わせ部分に押し付けて、該突き合わせ部分を摩擦攪拌接合法で接合してもよい。
【００２２】
当該製造方法では、前記一方の面板を下にして、パネル構造体を作業床面上に置き、他方の面板相互間の間隙から、回転ツールを一方の面板相互間の突き合わせ部分に押し付けて、一方の面板相互を摩擦攪拌接合することで、接合部分を支持するために治具として、作業床面を代替できる。
【発明の効果】
【００２３】
本発明では、仮に、パネル構造体相互間の歪み取りが必要な場合であっても、複数のパネル構造体の一方の面板相互が接合され、他方の面板相互が接合されておらず、パネル構造体相互間の接続剛性が低い状態で、パネル構造体相互間の歪み取りを行うので、極めて簡単にパネル構造体相互間の歪みを取ることができる。よって、本発明によれば、車体フレームの製作工数を低減することができる。
【図面の簡単な説明】
【００２４】
【図１】本発明に係る一実施形態における、各構体相互の接合直前の車体フレームの正面図である。
【図２】本発明に係る一実施形態における、各構体相互の接合後の車体フレームの正面図である。
【図３】本発明に係る一実施形態における、歪み取り及び二次接合中の車体フレームの正面図である。
【図４】本発明に係る一実施形態における、歪み取り終了後の車体フレームの正面図である。
【図５】本発明に係る一実施形態におけるパネル構造体の展開斜視図である。
【図６】本発明に係る一実施形態のパネル構造体相互の接合過程を示す説明図であり、同図（ａ）は、パネル構造体相互の一次接合直前の状態を示し、同図（ｂ）は、パネル構造体相互の二次接合直前の状態を示し、同図（ｃ）は、パネル構造体相互の二次接合後の状態を示している。
【図７】本発明に係る一実施形態の車体の製造手順を示すフローチャートである。
【図８】本発明に係る一実施形態の変形例におけるパネル構造体の断面図である。
【図９】本発明に係る一実施形態の変形例における車体フレームの正面図である。
【図１０】本発明に係る一実施形態の車体を示し、同図（ａ）は車体の斜視図で、同図（ｂ）は車体の展開斜視図である。
【発明を実施するための形態】
【００２５】
以下、本発明に係る車体フレームの製造方法の実施形態について、図面を用いて説明する。
【００２６】
まず、車体フレームの製造方法について説明する前に、本実施形態における車体の概略構成について説明する。
【００２７】
車体フレーム１は、図１０に示すように、例えば、屋根構体２と、互いに向かい合う複数対の側構体４と、床構体３とを備えている。各側構体４の上縁には屋根構体２が接合され、各側構体４の下縁には床構体３が接合されている。
【００２８】
本実施形態で、屋根構体２、側構体４、床構体３は、いずれも、金属性の複数のパネル構造体を相互に接合したもので構成されている。各構体２，３，４は、複数のパネル構造体の長手方向が車体の前後方向を向き、複数のパネル構造体の短手方向の端部相互が接合されて形成されている。
【００２９】
本実施形態の車体は、以上で説明した車体フレーム１と、前後の妻構体８と、ドア機構を有するドア構体９と、各種内装材等を有して構成されている。
【００３０】
妻構体８は、例えば、ＦＲＰ（Fiber Reinforced Plastics）等で形成され、車体フレーム１の前端及び後端の開放部分に設けられる。また、ドア構体９は、前後方向に間隔を開けて並んでいる側構体４の間に設けられる。
【００３１】
次に、以上で説明した車体フレーム１の製造方法に関する実施形態について、図１〜図７を用いて説明する。
【００３２】
各構体２，３，４を構成するパネル構造体は、いずれも、内面板と、この内面板に対向する外面板と、内面板と外面板との間に配されて相互を接続する複数のリブとを有し、ダブルスキンと呼ばれているものである。
【００３３】
ここで、側構体４を構成するパネル構造体を例にして、このパネル構造体の構成について、図５及び図６を用いて具体的に説明する。
【００３４】
側構体４を構成するパネル構造体１０の外面板１１及び内面板１４は、いずれも矩形板で、これらの長手方向の長さは同じである。また、内面板１４の短手方向の長さは、外面板１１の短手方向の長さより若干短い。内面板１４は、外面板１１と離間し、互いに平行である。この状態で、内面板１４の長辺１４ａは外面板１１の長辺１１ａと平行で、内面板１４の短辺１４ｂの位置と外面板１１の短辺１１ｂの位置は、外面板１１の長手方向において同じ位置である。ここで、外面板１１の長手方向を第一方向α、外面板１１の短手方向を第二方向β、第一方向及び第二方向に垂直な方向を第三方向γとする。
【００３５】
複数のリブ１６は、第一方向に長く延び、第二方向に並んでいる。複数のリブ１６は、第一方向から見ると、外面板１１及び内面板１４に対して傾斜している。複数のリブ１６のうち、一のリブ１６ａは、外面板１１に対して４５°の角度を成し、この一のリブ１６ａに第二方向βで隣接している二のリブ１６ｂは、外面板１１に対して１３５°の角度を成し、この二のリブ１６ｂに第二方向βで隣接している三のリブ１６ａは、外面板１１に対して４５°の角度を成し、以降、第二方向βに並んでいる各リブ１６ｂ，１６ａ，１６ｂ，…は、以上と同様、外面板１１に対して、１３５°、４５°、１３５°、４５°、…の角度を成している。
【００３６】
このパネル構造体１０の第二方向βの両側には、継ぎ手板受け部２１が形成されている。この継ぎ手板受け部２１は、第二方向βで最も端に位置しているリブ１６と、このリブ１６に隣接しているリブ１６とで形成されている略三角形の頂部に形成されている。この継ぎ手板受け部２１は、第二方向βにおいて、内面板１４が存在しない領域に形成され、外部から臨むことができる。
【００３７】
継ぎ手板受け部２１は、内面板１４の外面（外面板１１と反対側の面）１４ｏと平行で且つこの内面板１４の内面（外面板１１側の面）１４ｉと面一である継ぎ手板受け面２２を有している。第二方向βの両端部の継ぎ手板受け部２１のうち、一方の継ぎ手板受け部２１の継ぎ手板受け面２２には、外面板１１側に凹んだ溝である係合部２３が形成されている。
【００３８】
なお、各構体のパネル構造体１０は、基本的に以上の構成であるが、外面板１１や内面板１４の厚さ、外面板１１と内面板１４との間の間隔、リブ１６の数や厚み、リブ１６の形状等は、各構体２，３に求められる剛性等に応じて異なっている。例えば、床構体３のパネル構造体は、側構体４のパネル構造体１０よりも高剛性である必要性から、外面板や内面板の厚さ寸法、外面板と内面板との間の間隔寸法等が、側構体４のパネル構造体１０の対応寸法より大きい。
【００３９】
車体フレーム１の製造では、図７のフローチャートに示すように、まず、複数のパネル構造体相互を接合して屋根構体２を製造する（Ｓ１）と共に、複数のパネル構造体相互を接合して床構体３を製造する（Ｓ２）。さらに、複数のパネル構造体１０相互を部分接合（一次接合）して側構体４の中間体５を製造する（Ｓ３）。
【００４０】
屋根構体２及び床構体３を製造する際には（Ｓ１，２）、複数のパネル構造体を第二方向βに並べて、隣り合うパネル構造体の外面板１１相互、内面板１４相互を溶接で接合して、隣り合うパネル構造体相互を接合する。
【００４１】
複数のパネル構造体相互の接合では、接合熱の影響でパネル構造体相互間での歪みが生じる。床構体３を構成するパネル構造体は、前述したように、他の構体２，４を構成するパネル構造体に比べて高剛性であるため、床構体３を構成するパネル構造体相互の接合で生じるパネル構造体相互間の歪みは、他の構体２，４を構成するパネル構造体相互の接合で生じるパネル構造体相互間の歪みと比べて相対的に小さい。このため、床構体３を製造する過程で生じたパネル構造体相互間の歪みを無視することができる。また、屋根構体２は、基本的に、この車体フレーム１を有する車両の利用者に目に付くものでないため、この屋根構体２を構成するパネル構造体１０相互に歪があっても、不都合はない。
【００４２】
しかしながら、側構体４は、この車体フレーム１を有する車両の利用者に目に付くため、この側構体４を構成するパネル構造体１０相互に歪みがある場合には、この歪みを取り除くことが好ましい。このため、本実施形態では、この歪み取りの作業労力を抑えるために、前述したように、一端、中間体５を製造し、その後、この側構体４を完成させる。
【００４３】
中間体５に製造では、まず、図６（ａ）に示すように、複数のパネル構造体１０の外面板１１を作業床面側、つまり下側に向け、複数のパネル構造体１０を第二方向βに並べて、複数のパネル構造体１０の外面板１１相互を突き合わせる。次に、摩擦攪拌接合用の回転ツール５０を用いて、外面板１１相互の突き合わせ部分を摩擦攪拌接合して、中間体５を製造する。
【００４４】
回転ツール５０は、円筒状のショルダー部５１と、このショルダー部５１の外径よりも小さな外径で、このショルダー部５１の端面であるショルダー面５２から突出しているプローブ部５３とを有している。摩擦攪拌接合の際には、回転ツール５０を回転させつつ、プローブ部５３を母材に挿入し、ショルダー面５２を母材表面に接触させた状態で、この回転ツール５０を目的の接合線に沿って移動させる。
【００４５】
本実施形態の場合、複数のパネル構造体１０の内面板１４相互の間から、外面板１１相互の突き合わせ部分に、回転ツール５０を押し付けて、つまり、下側へ押し付けつつ、第一方向αへ移動させて、外面板１１相互を摩擦攪拌接合する。この際、回転ツール５０の押付力は作業床面が受けることになる。
【００４６】
なお、外面板１１相互の接合では、内面板１４と反対側から、回転ツール５０を押し付けて、外面板１１相互を摩擦攪拌接合してもよい。但し、この場合、外面板１１の回転ツール５０が押し付けられる部分の下方には、この外面板１１から所定距離隔てた作業床面が存在するだけで、外面板１１のこの部分に接して支持するものがないため、回転ツール５０の押付力を受ける治具が必要となる。また、以上で説明したように、内面板１４側から回転ツール５０を押し付けると、その反対側から回転ツール５０を押し付ける場合よりも、外面板１１の外面（内面板１４と反対側の面）１１ｏをきれいに仕上げることができる。このため、以上で説明したように、内面板１４側から回転ツール５０を押し付けることが好ましい。
【００４７】
次に、図１及び図２に示すように、屋根構体２と床構体３と側構体４の中間体５とを相互に接合する（Ｓ４）。この際、各構体２，３，４のリブは、いずれも、車体フレーム１の前後方向に平行である。また、屋根構体２及び床構体３を構成する複数のパネル構造体は、車体フレーム１の左右方向Ｈに並び、中間体５を構成する複数のパネル構造体１０は、車体フレーム１の上下方向Ｖに並ぶ。
【００４８】
ところで、中間体５を構成する複数のパネル構造体１０相互間には、中間体５を製造する過程で歪みが生じている可能性がある。例えば、図２に示すように、中間体５を前側から見た際、中間体５を構成する複数のパネル構造体１０の外面板１１のそれぞれが目的の方向を向いていない可能性がある。そこで、各構体２，３，４相互の接合後に（Ｓ４）、中間体５を構成するパネル構造体１０相互間に歪みがある場合には、この歪みを取り除く（Ｓ５）。
【００４９】
歪みを取り除く方法としては、図３に示すように、隣り合うパネル構造体１０の外面板１１相互の接合部分をハンマー５５等で機械的な荷重を加える方法や、この接合部分をバーナー５６等で加熱する方法、両者を組み合わせる方法等が考えられる。これらいずれの方法を採用しても、歪みを取る際には、パネル構造体１０を構成する二枚の面板１１，１４のうち、一方の面板１１相互のみが接合されている状態であり、隣り合うパネル構造体１０相互の接続剛性が、両面板１１,１４相互が接続されている状態の接続剛性に比べて遥かに小さい。このため、中間体５を構成する複数のパネル構造体１０相互間の歪みを極めて簡単に取ることができる。
【００５０】
なお、ここで、歪みを取った状態とは、隣り合うパネル構造体１０のうちで、一方のパネル構造体１０の外面板１１に対して、他方のパネル構造体１０の外面板１１が目的の角度に接合され、且つ、複数のパネル構造体１０の外面板１１のそれぞれが目的の方向を向いている状態である。具体的に、本実施形態の場合、隣り合うパネル構造体１０のうちで、一方のパネル構造体１０の外面板１１に対して、他方のパネル構造体１０の外面板１１が１８０°に接合され、且つ、複数のパネル構造体１０の外面板１１のそれぞれが上下方向Ｖを向いて一直線状に並んでいる状態である。
【００５１】
パネル構造体１０相互間の歪みを取ると（Ｓ５）、各パネル構造体１０の内面板１４相互を接合（二次接合）する（Ｓ６）。この二次接合では、図６（ｂ）（ｃ）に示すように、継ぎ手板３１を用いて、内面板１４相互を接合する。
【００５２】
継ぎ手板３１は、矩形板３２を有している。この矩形板３２の長手方向の長さは、パネル構造体１０の内面板１４及び外面板１１の長手方向の長さと一致している。また、矩形板３２の短手方向の長さは、隣り合うパネル構造体１０の内面板１４相互に形成される間隙を塞ぐことができる長さである。また、この矩形板３２の厚さは、パネル構造体１０の内面板１４の厚さと一致している。
【００５３】
継ぎ手板３１は、さらに、矩形板３２の一方の面から突出し、パネル構造体１０の継ぎ手板受け部２１の係合部２３に嵌まり込んで係合する被係合部３３を有している。この被係合部３３は、矩形板３２の一方の面中で、短手方向の一方の側の位置から突出し、矩形板３２の長手方向に延びている。
【００５４】
継ぎ手板３１を用いて、隣り合うパネル構造体１０の内面板１４相互を接合する際には、まず、隣り合うパネル構造体１０の継ぎ手板受け部２１のうち、一方の継ぎ手板受け部２１のみに形成されている係合部２３に、継ぎ手板３１の被係合部３３を係合させ、各継ぎ手板受け部２１の継ぎ手板受け面２２に継ぎ手板３１を接触させる。そして、隣り合うパネル構造体１０の内面板１４のうち、一方の内面板１４と継ぎ手板３１の一方の端縁、さらに、他方の内面板１４と継ぎ手板３１の他方の端縁とをＭＩＧ（Metal Inert Gas）溶接やＴＩＧ（Tungsten Inert Gas）溶接等の融接で接合する。
【００５５】
この継ぎ手板３１と内面板１４との接合では、外面板１１相互の接合と同様、摩擦攪拌接合法を採用してもよい。但し、摩擦攪拌接合では、回転ツール５０の押付力が加わっても、接合部分がこの押付力の向きに移動しないよう、この押付力を受ける必要があるため、上下方向Ｖに並んでいる部材相互を摩擦攪拌接合する場合には、接合部分の側方に、回転ツール５０の押付力を受ける治具が必要になり、手間がかかってしまう。このため、継ぎ手板３１と内面板１４との接合では、接合ツールから接合対象に押付力がかからない、前述のＭＩＧ溶接やＴＩＧ溶接等の融接が好ましい。
【００５６】
この内面板１４相互の接合、つまり二次接合（Ｓ６）は、中間体５を構成する全てのパネル構造体１０に関して、パネル構造体１０相互間の歪みを取り除いた後に行ってもよいが（Ｓ５）、図３及び図４に示すように、隣り合うパネル構造体１０相互間の歪み取りを行う毎（Ｓ５）に、この隣り合うパネル構造体１０相互間の二次接合（Ｓ６）を行うことが好ましい。
【００５７】
この場合、中間体５を構成する複数のパネル構造体１０のうち、上下方向Ｖの端側のパネル構造体１０から順次歪み取り（Ｓ５）及び二次接合（Ｓ６）を行い、上下方向Ｖにおける最も中央側のパネル構造体１０とそれに隣接するパネル構造体１０との間の歪み取り（Ｓ５）及び二次接合（Ｓ６）を最後に行うことが好ましい。具体的に、図３及び図４に示すように、６個のパネル構造体１０が上下方向Ｖに並んで中間体５を構成している場合、上下方向Ｖにおける最も中央側のパネル構造体１０である、下から３番目のパネル構造体１０、又は下から４番目のパネル構造体１０と、これに隣接するパネル構造体１０（下から４番目のパネル構造体１０、又は下から３番目のパネル構造体１０）との間の歪み取り（Ｓ５）及び二次接合（Ｓ６）を最後に行うことが好ましい。
【００５８】
なお、奇数個のパネル構造体１０が上下方向Ｖに並んで中間体５を構成している場合、例えば、７個のパネル構造体１０が上下方向Ｖに並んで中間体５を構成している場合、上手方向における最も中央側のパネル構造体１０である、下から４番目のパネル構造体１０と、これに隣接する下から３番目のパネル構造体１０又は下から５番目のパネル構造体１０との間の歪み取り（Ｓ５）及び二次接合（Ｓ６）を最後に行うことが好ましい。
【００５９】
仮に、歪み取り（Ｓ５）及び二次接合（Ｓ６）を、上端側のパネル構造体１０に関して最初に行い、順次、下方側のパネル構造体１０に関して行い、最後に、下端のパネル構造体１０に関して行ったとする。このような順序で、歪み取り（Ｓ５）及び二次接合（Ｓ６）を行うと、複数のパネル構造体１０の相互関係において、上側パネル構造体１０に対して隣接する下側パネル構造体１０がいずれも右側に傾いていると、二次接合を行う毎に、上側パネル構造体１０に対する下側パネル構造体１０の下端の右側へのズレ量が蓄積され、下から２番目のパネル構造体１０と下から１番目のパネル構造体１０とを二次接合する際には、下から２番目のパネル構造体１０の下端の右側へのズレ量が極めて大きくなってしまう。このため、隣り合うパネル構造体１０相互間の歪み取りを行う毎に、この隣り合うパネル構造体１０相互間の二次接合を行う場合には、上下方向Ｖにおける最も中央側のパネル構造体１０とそれに隣接するパネル構造体１０との間の歪み取り（Ｓ５）及び二次接合（Ｓ６）を最後に行うことが好ましい。
【００６０】
中間体５を構成する全てのパネル構造体１０の二次接合（Ｓ６）が終了すると、側構体４が完成すると共に、車体フレーム１が完成する。
【００６１】
次に、図１０に示すドア構体９、妻構体８、内装材等の他の部材を製造し（Ｓ７，Ｓ８，Ｓ９）、これらを車体フレーム１に組み付けて、車体を完成させる（Ｓ１０）。なお、ドア構体９、妻構造体８、内装材等の他の部材の製造は、これらを車体フレーム１に組み付ける前であれば、どの段階で行ってもよく、例えば、屋根構体２の製造（Ｓ１）の前であってもよい。
【００６２】
以上のように、本実施形態では、側構体４を構成する複数のパネル構造体１０の一方の面板１１相互を接合して、側構体４の中間体５を製造し、複数のパネル構造体１０の他方の面板１４相互が接合されていない状態、つまり、パネル構造体１０相互間の接合剛性が高くない状態で、歪み取りを行うので、歪み取りを簡単に行うことができ、車体フレーム１の製作工数を低減することができる。
【００６３】
なお、本実施形態で、側構体４を構成する複数のパネル構造体１０は、各面板１１,１４に対してリブ１６が傾斜しているが、図８に示すパネル構造体１０ａのように、各面板１１,１４に対して垂直なリブ１９であってもよいし、各面板１１,１４に対して傾斜しているリブと垂直なリブとが混在しているパネル構造体であってもよい。
【００６４】
また、本実施形態では、隣り合うパネル構造体１０の一方の面板１１相互の接合では、一方の面板１１の縁相互を突き合わせて、両者を接合し、他方の面板１４相互の接合では継ぎ手板３１を介して両者を接合しているが、他方の面板１４相互の接合でも、図８に示すように、継ぎ手板３１を介することなく、他方の面板１４の縁相互を接合してもよい。
この場合、歪み取り過程で、他方の面板１４の縁の相互間隔が様々に変わることになるが、多くの溶接法で、２〜３ｍｍ程度の開先寸法の誤差は許容されるので、何ら問題はない。
【００６５】
また、本実施形態の側構体４を構成する複数のパネル構造体１０は、上下方向Ｖに直線状に並んでいるが、図９に示すように、側構体４ａを構成する複数のパネル構造体１０は上下方向Ｖに並んでいるものの、この側構体４ａを左右方向Ｈに湾曲させてもよい。このように側構体４ａを湾曲させる場合、本発明では、側構体４ａを構成する複数のパネル構造体１０相互間の歪、言い換えるとパネル構造体１０相互間の傾きを簡単に調整できるので、本発明の製造方法は極めて都合の良い製造方法と言える。
【００６６】
また、以上の実施形態では、複数のパネル構造体１０相互間の歪み取りと二次接合を異なるタイミングで実行しているが、歪み取りと二次接合を同時に、言い換えると、歪み取りを行いつつ、二次接合を行ってもよい。この場合、複数のパネル構造体１０相互間の二次接合時に、このときの溶接による入熱量を調節して、一次接合で生じた複数のパネル構造体１０相互間の歪みを打ち消す向きの歪みを発生させて、一次接合時の歪みと二次接合時の歪みを相殺させる。なお、溶接による入熱量を調節する方法としては、溶接速度の増減、溶接電極等への入力電流の増減、断続溶接の場合には、溶接長さの増減等がある。
【００６７】
また、本実施形態では、複数のパネル構造体１０の外面板１１相互の接合で、接合面がきれいに仕上がる摩擦攪拌接合法を採用しているが、この摩擦攪拌接合法を採用しない場合には、複数のパネル構造体１０の内面板１４相互を先に接合（一次接合）してから、各構体相互を接合し、その後、複数のパネル構造体１０の外面板１１相互を接合（二次接合）してもよい。
【符号の説明】
【００６８】
１：車体フレーム、２：屋根構体、３：床構体、４，４ａ：側構体、５：中間体、８：妻構体、１０，１０ａ：パネル構造体、１１：外面板、１４：内面板、１６，１６ａ，１６ｂ，１９：リブ、２１：継ぎ手板受け部、２２：継ぎ手板受け面、２３：係合部、３１：継ぎ手板、３２：矩形板、３３：被係合部、５０：回転ツール
【図１】
0005342532.tif 000002
【図２】
0005342532.tif 000003
【図３】
0005342532.tif 000004
【図４】
0005342532.tif 000005
【図５】
0005342532.tif 000006
【図６】
0005342532.tif 000007
【図７】
0005342532.tif 000008
【図８】
0005342532.tif 000009
【図９】
0005342532.tif 000010
【図１０】
0005342532.tif 000011